(57)【要約】【課題】上シートと下シートとが重ね合わされて上シートの３辺に沿って形成された貼着部にて互いに貼着され、上シートから貼着部が切り離されることによって３辺以外の１辺を綴じ部として見開かれる構成において、上シートと下シートとの間の貼着部以外の領域に挟み込まれたフィルムシートによって形成された封入部に封入物を封入しやすくする。【解決手段】上シート１０の下シートとの重ね合わせ面に、上シート１０の下シート２０との綴じ部となる１辺に沿って粘着剤４１ａを介して剥離紙４２が剥離可能に貼着されている。【選択図】図１
2014159097.tif 000002
【特許請求の範囲】
【請求項１】
上シートと下シートとが重ね合わされて前記上シートの３辺に沿って形成された貼着部にて互いに貼着され、前記上シートと前記下シートとの間の前記貼着部以外の領域に挟み込まれたフィルムシートによって封入部が形成され、前記上シートから前記貼着部が切り離されることによって前記３辺以外の１辺を綴じ部として見開かれる封入体であって、
前記封入部は、前記１辺と直交する方向における両端部が開口して形成され、
前記上シートは、前記下シートとの重ね合わせ面に前記１辺に沿って粘着剤を介して剥離紙が剥離可能に貼着されている封入体。
【発明の詳細な説明】
【技術分野】
【０００１】
本発明は、封入物が封入される封入体に関し、特に、封入物を封入しやすくする技術に関する。
【背景技術】
【０００２】
従来より、ダイレクトメール等といった郵送等によって送付される印刷物においては、差出人が受取人に通知したい情報が文字や画像として所定の用紙に印刷されており、そのほとんどが、封筒等に封入、封緘され、封入体として受取人に送付されている。このような封入体は、受取人が封筒を開封して封筒等に封入された印刷物を閲覧することによって、差出人が通知したい情報が受取人に通知されることになる。
【０００３】
また、近年においては、商品サンプルや小物商品等の物品を上述したような印刷物とともに封筒等に封入し、送付することが行われている（例えば、特許文献１参照。）。このように、商品サンプルや小物商品等の物品を情報が印刷された印刷物とともに送付した場合、この封入体の受取人は、印刷物に印刷された情報を閲覧するだけでなく、実際に商品サンプルや小物商品を手にすることができ、それにより、商品等の広告効果を向上させることができる。
【０００４】
図１１は、封入物が封入される封入体の一例を示す図であり、（ａ）は外観正面図、（ｂ）は（ａ）に示したＡ−Ａ’断面図、（ｃ）は見開いた状態を示す図である。
【０００５】
本例は図１１に示すように、上シート部３１０と下シート部３２０とが折り部３３０を介して折り畳まれ、下シート部３２０の折り部３３０を除く３辺に沿って塗布された粘着剤３４１によって、上シート部３１０と下シート部３２０とが互いに貼着されて構成される。上シート部３１０には、折り部３３０を除く３辺に沿って、粘着剤３４１に対向する領域の内側にミシン目３１１が形成されている。折り畳まれた上シート部３１０と下シート部３２０との間には、上シート部３１０と下シート部３２０とが貼着されていない領域にフィルムシート３３３が挟み込まれており、その上端及び下端、並びに上端と下端との中間部分に塗布された粘着剤３３４によって下シート部３２０と貼着されている。それにより、フィルムシート３３３と下シート部３２０との間には、図中左右方向における両端部が開口した封入部３３５が形成されている。
【０００６】
上記のように構成された封入体３０１は、封入部３３５に封入物が封入され、その提供先に郵送等によって送付されることになる。その後、封入体３０１の提供先において、ミシン目３１１が破断されて上シート部３１０のミシン目３１１の内側が見開かれ、封入部３３５から封入物が取り出されることになる。
【先行技術文献】
【特許文献】
【０００７】
【特許文献１】登録実用新案第３０５０２４６号公報
【発明の概要】
【発明が解決しようとする課題】
【０００８】
図１２は、図１１に示した封入体３０１への封入物の封入方法を説明するための図であり、（ａ）は封入物が封入される状態を示す外観斜視図、（ｂ）はその際の問題点を説明するための図である。
【０００９】
図１１に示した封入体３０１は上述したように、上シート部３１０と下シート部３２０とが折り部３３０を介して折り畳まれ、この上シート部３１０と下シート部３２０との間に挟み込まれたフィルムシート３３３と下シート３２０との間に、図中左右方向における両端部が開口した封入部３３５が形成されているため、図１２（ａ）に示すように、上シート部３１０と下シート部３２０の折り部３３０とは反対側の端部が貼着されていない状態において、この端部から封入物３０２が封入部３３５に封入されることになる。
【００１０】
ここで、上シート部３１０と下シート部３２０の折り部３３０とは反対側の端部においては、封入体３０１を見開く際に上シート部３１０を破断するためのミシン目３１１が形成されているため、このミシン目３１１によって上シート部３１０から切り離される領域分のマージンが必要となる。そのため、図１２（ｂ）に示すように、フィルムシート３３３は、上シート部３１０と下シート部３２０の折り部３３０とは反対側の端部からこのマージンの幅Ｗ以上内側に入った領域に挟み込まれていることになり、それにより、封入物３０２を封入部３３５に封入しにくくなってしまうという問題点がある。
【００１１】
本発明は、上述したような従来の技術が有する問題点に鑑みてなされたものであって、上シートと下シートとが重ね合わされて上シートの３辺に沿って形成された貼着部にて互いに貼着され、上シートから貼着部が切り離されることによって３辺以外の１辺を綴じ部として見開かれる構成としながらも、上シートと下シートとの間の貼着部以外の領域に挟み込まれたフィルムシートによって形成された封入部に封入物を封入しやすくすることができる封入体を提供することを目的とする。
【課題を解決するための手段】
【００１２】
上記目的を達成するために本発明は、
上シートと下シートとが重ね合わされて前記上シートの３辺に沿って形成された貼着部にて互いに貼着され、前記上シートと前記下シートとの間の前記貼着部以外の領域に挟み込まれたフィルムシートによって封入部が形成され、前記上シートから前記貼着部が切り離されることによって前記３辺以外の１辺を綴じ部として見開かれる封入体であって、
前記封入部は、前記１辺と直交する方向における両端部が開口して形成され、
前記上シートは、前記下シートとの重ね合わせ面に前記１辺に沿って粘着剤を介して剥離紙が剥離可能に貼着されている。
【００１３】
上記のように構成された本発明においては、上シートと下シートとは、上シートの３辺に沿って形成された貼着部にて互いに貼着されており、上シートから貼着部が切り離されることによって３辺以外の１辺を綴じ部として見開かれることになるが、上シートの下シートとの重ね合わせ面に、綴じ部となる１辺に沿って粘着剤を介して剥離紙が剥離可能に貼着されているので、上シートから剥離紙が剥離していない状態において、綴じ部となる１辺側から、この１辺と直交する方向における両端部が開口して形成された封入部に封入物を封入することができる。ここで、綴じ部となる１辺側には、封入体を見開くために上シートから切り離す領域が存在しないため、そのためのマージンが必要とならず、フィルムシートを綴じ部となる１辺に近接して配置することができ、それにより、フィルムシートによって形成された封入部に封入物を封入しやすくなる。
【発明の効果】
【００１４】
本発明によれば、上シートの下シートとの重ね合わせ面に、上シート及び下シートの綴じ部となる１辺に沿って粘着剤を介して剥離紙が剥離可能に貼着されているため、上シートから剥離紙が剥離していない状態において、綴じ部となる１辺側から、この１辺と直交する方向の両端部が開口して形成された封入部に封入物を封入することができ、フィルムシートを綴じ部となる１辺に近接して配置することにより、上シートと下シートとが重ね合わされて上シートの３辺に沿って形成された貼着部にて互いに貼着され、上シートから貼着部が切り離されることによって３辺以外の１辺を綴じ部として見開かれる構成としながらも、上シートと下シートとの間の貼着部以外の領域に挟み込まれたフィルムシートによって形成された封入部に封入物を封入しやすくすることができる。
【図面の簡単な説明】
【００１５】
【図１】本発明の封入体の第１の実施の形態を示す図であり、（ａ）は外観正面図、（ｂ）は（ａ）に示したＡ−Ａ’断面図、（ｃ）は上シートの裏面の構成を示す図、（ｄ）は上シートを取り除いた構成を示す図である。
【図２】図１に示した封入体への封入物の封入方法を説明するための図である。
【図３】図１に示した封入体に封入物が封入される際の作用を説明するための図である。
【図４】図１に示した封入体が封緘された状態を示す断面図である。
【図５】図１に示した封入体からの封入物の取り出し方法を説明するための図である。
【図６】本発明の封入体の第２の実施の形態を示す図であり、（ａ）は外観正面図、（ｂ）は（ａ）に示したＡ−Ａ’断面図、（ｃ）は上シートの裏面の構成を示す図、（ｄ）は上シートを取り除いた構成を示す図である。
【図７】図６に示した封入体への封入物の封入方法を説明するための図である。
【図８】図６に示した封入体に封入物が封入される際の作用を説明するための図である。
【図９】図６に示した封入体が封緘された状態を示す断面図である。
【図１０】図６に示した封入体からの封入物の取り出し方法を説明するための図である。
【図１１】封入物が封入される封入体の一例を示す図であり、（ａ）は外観正面図、（ｂ）は（ａ）に示したＡ−Ａ’断面図、（ｃ）は見開いた状態を示す図である。
【図１２】図１１に示した封入体への封入物の封入方法を説明するための図であり、（ａ）は封入物が封入される状態を示す外観斜視図、（ｂ）はその際の問題点を説明するための図である。
【発明を実施するための形態】
【００１６】
以下に、本発明の実施の形態について図面を参照して説明する。
【００１７】
（第１の実施の形態）
図１は、本発明の封入体の第１の実施の形態を示す図であり、（ａ）は外観正面図、（ｂ）は（ａ）に示したＡ−Ａ’断面図、（ｃ）は上シート１０の裏面の構成を示す図、（ｄ）は上シート１０を取り除いた構成を示す図である。
【００１８】
本形態は図１に示すように、互いに同一形状を有する上シート１０と下シート２０とが重ね合わされ、これら上シート１０と下シート２０との間に、冊子部３０及びこれに貼着されたフィルムシート３３が挟み込まれて構成されている。
【００１９】
上シート１０は、３辺に沿ってミシン目１１が形成されており、このミシン目１１の外側となる領域が、下シート２０と貼着された貼着部１２となっている。上シート１０の下シート２０との重ね合わせ面には、上記３辺以外の１辺に沿って粘着剤４１ａが塗布されているとともにこの粘着剤４１ａによって剥離紙４２が剥離可能に貼着されている。
【００２０】
下シート２０は、上シート１０の貼着部１２に対向する領域に粘着剤４１ｂが塗布されており、この粘着剤４１ｂによって上シート１０と下シート２０とが貼着されている。なお、この粘着剤４１ｂは、粘着剤４１ａ及び剥離紙４２に対向する領域には塗布されていない。
【００２１】
上記のように貼着された上シート１０と下シート２０とは、上シート１０の剥離紙４２が貼着された領域側の１辺が、剥離紙４２が剥離されて粘着剤４１ａによって貼着されて綴じ部となり、ミシン目１１が破断することによって上シート１０の貼着部１２以外の領域がこの１辺を綴じ部として見開かれることになる。
【００２２】
冊子部３０は、上シート１０と下シート２０との間において、上シート１０の貼着部１２以外の領域に挟み込まれている。冊子部３０は、２枚の冊子用シート３１ａ，３１ｂからなり、上シート１０側の冊子用シート３１ａにフィルムシート３３が貼着されている。２枚の冊子用シート３１ａ，３１ｂは、上シート１０の剥離紙４２が貼着された辺側の端部が上シート１０のこの辺と重なり、この辺に沿う領域が粘着剤３２によって互いに貼着されるとともに、下シート２０側となる冊子用シート３１ｂが粘着剤３２によって下シート２０と貼着されている。
【００２３】
フィルムシート３３は、上シート１０及び下シート２０の綴じ部となる辺が伸びる方向の長さが、冊子用シート３１ａ，３１ｂと同じであり、これに直交する方向の長さが、冊子用シート３１ａ，３１ｂよりも短くなっている。それにより、上シート１０及び下シート２０の綴じ部となる辺に直交する方向における両端部において、冊子用シート３１ａ，３１ｂとの間に段差が生じている。なお、フィルムシート３３は、上シート１０及び下シート２０の綴じ部となる辺側においてその一部が粘着剤４１ａ及び剥離紙４２と対向している。そして、フィルムシート３３が、上シート１０及び下シート２０の綴じ部となる辺が伸びる方向の両端部、並びにその両端部の中間部分において、上シート１０及び下シート２０の綴じ部となる辺が伸びる方向とは直交する方向にライン状に塗布された粘着剤３４によって冊子用シート３１ａに貼着されている。それにより、フィルムシート３３と冊子用シート３１ａとの間において、上シート１０及び下シート２０の綴じ部となる辺が伸びる方向とは直交する方向における両端部が開口した２つの封入部３５が形成されている。また、上シート１０及び下シート２０の綴じ部となる辺側においては、ミシン目１１によって上シート１０が切り離される領域のためのマージンが必要ないため、フィルムシート３３を上シート１０及び下シート２０の綴じ部となる辺に近接して配置することができる。そのため、上シート１０及び下シート２０の綴じ部となる辺からフィルムシート３３の端部までの幅Ｗ1が、上シート１０及び下シート２０のそれとは反対側の辺からフィルムシート３３の端部までの幅Ｗ2よりも狭くなっている。
【００２４】
以下に、上記のように構成された封入体１の使用方法について説明する。
【００２５】
まず、封入体１への封入物の封入方法について説明する。
【００２６】
図２は、図１に示した封入体１への封入物の封入方法を説明するための図である。
【００２７】
まず、上シート１０に剥離紙４２が貼着された状態において、図２（ａ）に示すように、上シート１０の剥離紙４２が貼着された辺側、すなわち上シート１０及び下シート２０の綴じ部となる辺側から封入部３５に封入物２を封入する。封入部３５は、上述したように、上シート１０及び下シート２０の綴じ部となる辺が伸びる方向とは直交する方向における両端部が開口しているため、上シート１０の剥離紙４２が貼着された辺側から封入物２を封入することができる。またこの際、上述したように、フィルムシート３３が、上シート１０及び下シート２０の綴じ部となる辺に近接して配置されていることにより、封入物２を封入部３５に封入しやすくなる。
【００２８】
図３は、図１に示した封入体１に封入物２が封入される際の作用を説明するための図である。なお、図３においては、冊子用シート３１ｂや剥離紙４２及び粘着剤３２，４１ａの図示は省略してある。
【００２９】
上述したように、上シート１０及び下シート２０の綴じ部となる辺側においては、フィルムシート３３を上シート１０及び下シート２０の綴じ部となる辺に近接して配置することができ、上シート１０及び下シート２０の綴じ部からフィルムシート３３の端部までの幅Ｗ1が、上シート１０及び下シート２０のそれとは反対側の辺からフィルムシート３３の端部までの幅Ｗ2よりも狭くなっている。そのため、図３に示すように、封入部３５の開口部分が封入体１の端部に近くなり、封入物２を冊子用シート３１ａとフィルムシート３３との間に容易に入り込ませることができ、それにより、封入物２を封入部３５に封入しやすくなる。
【００３０】
その後、図２（ｂ）に示すように、上シート１０から剥離紙４２を剥離する。
【００３１】
すると、上シート１０の綴じ部となる辺に沿って塗布された粘着剤４１ａが下シート２０との重ね合わせ面にて表出するため、図２（ｃ）に示すように、この粘着剤４１ａによって上シート１０と冊子用シート３１ａ及び下シート２０とを貼着し、封入体１を封緘する。
【００３２】
図４は、図１に示した封入体１が封緘された状態を示す断面図である。
【００３３】
図１に示した封入体１は、図４に示すように、上シート１０及び下シート２０の綴じ部となる辺に沿う領域において、上シート１０から剥離紙４２を剥離することにより表出した粘着剤４１ａによって、上シート１０と冊子用シート３１ａ及び下シート２０とが貼着されることによって封緘される。この際、上シート１０の粘着剤４１ａが塗布された領域には、フィルムシート３３の一部も対向しているため、粘着剤４１ａによって上シート１０とフィルムシート３３の一部とが貼着されることになる。それにより、封入部３５の上シート１０及び下シート２０の綴じ部となる辺側の端部が開口していない状態となり、封入物２が封入部３５の綴じ部となる辺側の端部から脱落してしまうことが回避される。
【００３４】
このようにして封入物２が封入されて封緘された封入体１は、封入体１の提供先に郵送等によって送付されていく。
【００３５】
次に、封入体１からの封入物の取り出し方法について説明する。
【００３６】
図５は、図１に示した封入体１からの封入物の取り出し方法を説明するための図である。
【００３７】
上述したように封入体１に封入された封入物２を取り出す場合は、まず、図５（ａ）に示すように、上シート１０のミシン目１１を破断していき、上シート１０から貼着部１２を切り離す。そして、貼着部１２を下シート２０に貼着したまま、貼着部１２以外の領域を、粘着剤４１ａによって冊子用シート３１ａ及び下シート２０と貼着された領域に沿う辺を綴じ部として見開いていく。
【００３８】
すると、図５（ｂ）に示すように、上シート１０と下シート２０との間に挟み込まれた冊子部３０及びこれに貼着されたフィルムシート３３が表出する。またこの際、冊子部３０とフィルムシート３３とによって形成された封入部３５の開口部が表出する。
【００３９】
そして、図５（ｃ）に示すように、封入部３５に封入された封入物２を、封入部３５の開口部から取り出す。ここで、フィルムシート３３を透明な材料から構成し、冊子用シート３１ａの封入部３５に対向する領域に、封入部３５に封入される封入物２に関する説明や広告を表示しておけば、封入部３５から封入物２を取り出した後、取り出した封入物２についての情報を封入体１の受取人に通知することができる。
【００４０】
なお、本形態においては、上シート１０と下シート２０との間に、２枚の冊子用シート３１ａ，３１ｂからなる冊子部３０が挟み込まれ、この冊子部３０にフィルムシート３３が貼着された構成を例に挙げて説明したが、冊子部３０を構成する冊子用シートの数は２枚に限らず、また、冊子部３０を有さない構成とすることも考えられる。以下に、冊子部３０を有さない実施の形態について説明する。
【００４１】
（第２の実施の形態）
図６は、本発明の封入体の第２の実施の形態を示す図であり、（ａ）は外観正面図、（ｂ）は（ａ）に示したＡ−Ａ’断面図、（ｃ）は上シート１１０の裏面の構成を示す図、（ｄ）は上シート１１０を取り除いた構成を示す図である。
【００４２】
本形態は図６に示すように、第１の実施の形態に示したものに対して、冊子部３０を有していない点のみが異なるものである。そのため、本形態においては、フィルムシート１３３が、上シート１１０及び下シート１２０の綴じ部となる辺が伸びる方向の両端部、並びにその両端部の中間部分において、上シート１１０及び下シート１２０の綴じ部となる辺が伸びる方向とは直交する方向にライン状に塗布された粘着剤１３４によって下シート１２０に貼着されている。それにより、フィルムシート１３３と下シート１２０との間において、上シート１１０及び下シート１２０の綴じ部となる辺が伸びる方向とは直交する方向における両端部が開口した２つの封入部１３５が形成されている。また、本形態においても、上シート１１０及び下シート１２０の綴じ部となる辺側においては、ミシン目１１１によって上シート１１０が切り離される領域のためのマージンが必要ないため、フィルムシート１３３を上シート１１０及び下シート１２０の綴じ部となる辺に近接して配置することができる。そのため、上シート１１０及び下シート１２０の綴じ部となる辺からフィルムシート１３３の端部までの幅Ｗ1が、上シート１１０及び下シート１２０のそれとは反対側の辺部からフィルムシート１３３の端部までの幅Ｗ2よりも狭くなっている。
【００４３】
以下に、上記のように構成された封入体１０１の使用方法について説明する。
【００４４】
まず、封入体１０１への封入物の封入方法について説明する。
【００４５】
図７は、図６に示した封入体１０１への封入物の封入方法を説明するための図である。
【００４６】
まず、上シート１１０に剥離紙１４２が貼着された状態において、図７（ａ）に示すように、上シート１１０の剥離紙１４２が貼着された辺側、すなわち上シート１１０及び下シート１２０の綴じ部となる辺側から封入部１３５に封入物１０２を封入する。封入部１３５は、上述したように、上シート１１０及び下シート１２０の綴じ部となる辺が伸びる方向とは直交する方向における両端部が開口しているため、上シート１１０の剥離紙１４２が貼着された辺側から封入物１０２を封入することができる。またこの際、上述したように、フィルムシート１３３が、上シート１１０及び下シート１２０の綴じ部となる辺に近接して配置されていることにより、封入物１０２を封入部１３５に封入しやすくなる。
【００４７】
図８は、図６に示した封入体１に封入物１０２が封入される際の作用を説明するための図である。なお、図８においては、剥離紙１４２や粘着剤１４１ａの図示は省略してある。
【００４８】
上述したように、上シート１１０及び下シート１２０の綴じ部となる辺側においては、フィルムシート１３３を上シート１１０及び下シート１２０の綴じ部となる辺に近接して配置することができ、上シート１１０及び下シート１２０の綴じ部からフィルムシート１３３の端部までの幅Ｗ1が、上シート１１０及び下シート１２０のそれとは反対側の辺からフィルムシート１３３の端部までの幅Ｗ2よりも狭くなっている。そのため、図８に示すように、封入部１３５の開口部分が封入体１０１の端部に近くなり、封入物１０２を下シート１２０とフィルムシート１３３との間に容易に入り込ませることができ、それにより、封入物１０２を封入部１３５に封入しやすくなる。
【００４９】
その後、図７（ｂ）に示すように、上シート１１０から剥離紙１４２を剥離する。
【００５０】
すると、上シート１１０の綴じ部となる辺に沿って塗布された粘着剤１４１ａが下シート１２０との重ね合わせ面にて表出するため、図７（ｃ）に示すように、この粘着剤１４１ａによって上シート１１０と下シート１２０とを貼着し、封入体１０１を封緘する。
【００５１】
図９は、図６に示した封入体１０１が封緘された状態を示す断面図である。
【００５２】
図６に示した封入体１０１は、図９に示すように、上シート１１０及び下シート１２０の綴じ部となる辺に沿う領域において、上シート１１０から剥離紙１４２を剥離することにより表出した粘着剤１４１ａによって、上シート１１０と下シート１２０とが貼着されることによって封緘される。この際、上シート１１０の粘着剤１４１ａが塗布された領域には、フィルムシート１３３の一部も対向しているため、粘着剤１４１ａによって上シート１１０とフィルムシート１３３の一部とが貼着されることになる。それにより、封入部１３５の上シート１１０及び下シート１２０の綴じ部となる辺側の端部が開口していない状態となり、封入物１０２が封入部１３５の綴じ部となる辺側の端部から脱落してしまうことが回避される。
【００５３】
このようにして封入物１０２が封入されて封緘された封入体１０１は、封入体１０１の提供先に郵送等によって送付されていく。
【００５４】
次に、封入体１０１からの封入物の取り出し方法について説明する。
【００５５】
図１０は、図６に示した封入体１０１からの封入物の取り出し方法を説明するための図である。
【００５６】
上述したように封入体１に封入された封入物１０２を取り出す場合は、まず、図１０（ａ）に示すように、上シート１１０のミシン目１１１を破断していき、上シート１１０から貼着部１１２を切り離す。そして、貼着部１１２を下シート１２０に貼着したまま、貼着部１１２以外の領域を、粘着剤１４１ａによって下シート１２０と貼着された領域に沿う辺を綴じ部として見開いていく。
【００５７】
すると、図１０（ｂ）に示すように、上シート１１０と下シート１２０との間に挟み込まれて下シート１２０に貼着されたフィルムシート１３３が表出する。またこの際、下シート１２０とフィルムシート１３３とによって形成された封入部１３５の開口部が表出する。
【００５８】
そして、図１０（ｃ）に示すように、封入部１３５に封入された封入物１０２を、封入部１３５の開口部から取り出す。ここで、フィルムシート１３３を透明な材料から構成し、下シート１２０の封入部１３５に対向する領域に、封入部１３５に封入される封入物１０２に関する説明や広告を表示しておけば、封入部１３５から封入物１０２を取り出した後、取り出した封入物１０２についての情報を封入体１０１の受取人に通知することができる。
【符号の説明】
【００５９】
１，１０１    封入体
２，１０２    封入物
１０，１１０    上シート
１１，１１１    ミシン目
１２，１１２    貼着部
２０，１２０    下シート
３０    冊子部
３１ａ，３１ｂ    冊子用シート
３２，３４，４１ａ，４１ｂ，１３４，１４１ａ，１４１ｂ    粘着剤
３３，１３３    フィルムシート
３５，１３５    封入部
４２，１４２    剥離紙
【図１】
2014159097.tif 000003
【図２】
2014159097.tif 000004
【図３】
2014159097.tif 000005
【図４】
2014159097.tif 000006
【図５】
2014159097.tif 000007
【図６】
2014159097.tif 000008
【図７】
2014159097.tif 000009
【図８】
2014159097.tif 000010
【図９】
2014159097.tif 000011
【図１０】
2014159097.tif 000012
【図１１】
2014159097.tif 000013
【図１２】
2014159097.tif 000014